(57)【要約】  弁装置(10)は、進退動作が可能な作動ロッド(24)を備えたアクチュエータ(20)と、前記作動ロッド(24)に押されて前記作動ロッド(24)と同方向に進出する第１押し部材(30)と、前記第１押し部材(30)の軸方向と交差する方向に延びたモーメントアーム(51)を具備する板状部材(50)と、前記モーメントアーム(51)の作用点(P3)からの力を受けて前記第１押し部材(30)と同方向に進出する第２押し部材(60)と、前記第２押し部材(60)の進退動作によって開閉する弁(70)とを備える。前記モーメントアーム(51)は、前記第１押し部材(30)の軸中心(CL)側の一端部(51a)に前記第１押し部材(30)によって押される力点(P1)を有し、前記軸中心(CL)とは異なる側の他端部(51b)に支点(P2)を有し、前記力点(P1)と前記支点(P2)との間に前記作用点(P3)を有する。
2020016917.tif 000002
【特許請求の範囲】
【請求項１】
進退動作が可能な作動ロッドを備えたアクチュエータと、
進出する前記作動ロッドによって押されることにより前記作動ロッドと同方向に進出可能な第１押し部材と、
前記第１押し部材の軸方向と交差する方向に延び、前記第１押し部材の軸中心側の一端部に前記第１押し部材によって押される力点を有し、前記軸中心とは異なる側の他端部に支点を有し、前記力点と前記支点との間に作用点を有する、少なくとも１つのモーメントアームを具備する板状部材と、
前記モーメントアームの前記作用点から力を受けることにより、前記第１押し部材と同方向に進出可能な第２押し部材と、
前記第２押し部材の進退動作に従って開閉動作が可能な弁と、
を備える弁装置。
【請求項２】
前記板状部材は、周方向に間隔をあけて配置された複数の前記モーメントアームを有し、
前記複数のモーメントアームの各々の前記力点は、前記第１押し部材の先端部によって押され、
前記第２押し部材は、前記複数のモーメントアームの各々の前記作用点から力を受ける被作用面を有する、請求項１に記載の弁装置。
【請求項３】
前記支点が配置される、前記板状部材の環状の枠部によって、前記複数のモーメントアームは、一体に連結されている、請求項２に記載の弁装置。
【請求項４】
前記板状部材は、前記枠部と前記複数のモーメントアームとが連結されている部位の幅が、前記作用点が配置される部位の幅よりも狭い、請求項３に記載の弁装置。
【請求項５】
前記板状部材は弾性体である、請求項１〜４のいずれか１項に記載の弁装置。
【請求項６】
前記アクチュエータは電磁ソレノイドである、請求項１〜５のいずれか１項に記載の弁装置。
【発明の詳細な説明】
【技術分野】
【０００１】
本発明は、進退動作が可能な作動ロッドを備えたアクチュエータによって開閉可能な、弁装置に関する。
【背景技術】
【０００２】
アクチュエータによって弁を開閉する弁装置には、弁を直接に開閉する直動式弁装置と、流体の圧力差を用いて弁体を駆動させることにより主回路を開閉するパイロット式弁装置とがある。直動式弁装置は、例えば特許文献１によって知られている。【０００３】
特許文献１で知られている直動式弁装置は、アクチュエータの一種であるソレノイドを用いて弁を開閉する。ソレノイドの励磁用コイルが非励磁の状態では、弁体が弁座を閉じている。励磁用コイルに電流が供給されることによって、ソレノイドのプランジャは軸方向の推力を発生する。プランジャと一体の作動ロッドは、プランジャの推力によって軸方向へ移動し、プッシュロッドを押す。押されたプッシュロッドは、弁体を弁座から離す。この結果、弁が開く。【０００４】
特許文献２で知られているパイロット式弁装置は、メインバルブに対して閉弁方向に内圧を作用させるパイロット室と、このパイロット室の内圧を調整するパイロット弁とを備えている。つまり、弁動作が２段階になる。
【先行技術文献】
【特許文献】
【０００５】
【特許文献１】特開２０１６−１７５５５５号公報
【特許文献２】特開２０１７−００８９７０号公報
【発明の概要】
【発明が解決しようとする課題】
【０００６】
しかしながら、特許文献１で知られている直動式弁装置では、ソレノイドを用いて、弁を直接、開閉するので、比較的大型のソレノイドを用いる必要があるとともに、消費電力も多くなりがちである。特に、弁の口径が大きいほど、その傾向が高い。【０００７】
一方、特許文献２で知られているパイロット式弁装置は、小さい操作力によって大きい弁を開閉することができる。しかし、弁装置の構造が複雑である。しかも、弁動作が２段階になるので、弁の開閉動作の応答性の遅れに対する配慮も必要である。【０００８】
本発明は、簡単な構成により、小さい操作力によって大きい弁を開閉することができる弁装置を、提供することを課題とする。
【課題を解決するための手段】
【０００９】
本発明によれば、
進退動作が可能な作動ロッドを備えたアクチュエータと、
進出する前記作動ロッドによって押されることにより前記作動ロッドと同方向に進出可能な第１押し部材と、
前記第１押し部材の軸方向と交差する方向に延び、前記第１押し部材の軸中心側の一端部に前記第１押し部材によって押される力点を有し、前記軸中心とは異なる側の他端部に支点を有し、前記力点と前記支点との間に作用点を有する、少なくとも１つのモーメントアームを具備する板状部材と、
前記モーメントアームの前記作用点から力を受けることにより、前記第１押し部材と同方向に進出可能な第２押し部材と、
前記第２押し部材の進退動作に従って開閉動作が可能な弁と、
を備える弁装置が提供される。
【発明の効果】
【００１０】
支点と力点と作用点とを有したモーメントアームを、用いることによって、「てこ」の原理を採用することができる。「てこ」の原理を利用した、機械的な倍力機構を採用して、パイロット弁を用いることのない簡単な構成により、小さい操作力によって大きい弁を開閉することができる。
【図面の簡単な説明】
【００１１】
【図１】本発明による弁装置の断面図である。
【図２】図１に示される弁装置のガイド盤と第１押し部材と板状部材と第２押し部材と弁周りの拡大図である。
【図３】図２に示されるガイド盤と第１押し部材と板状部材と第２押し部材の分解図である。
【図４】図２に示されるガイド盤と第１押し部材と板状部材との組み合わせ構成の斜視図である。
【図５】図２に示されるガイド盤と第１押し部材と板状部材と第２押し部材との関係を示す説明図である。
【図６】図２に示される板状部材と第２押し部材との組み合わせ構成の斜視図である。
【図７】図１に示される弁装置の作用図である。
【図８】図３に示される板状部材の変形例１を軸方向から見た図である。
【図９】図３に示される板状部材の変形例２を軸方向から見た図である。
【発明を実施するための形態】
【００１２】
本発明を実施するための形態を添付図に基づいて以下に説明する。
【００１３】
図１に示されるように、弁装置１０は、アクチュエータ２０と第１押し部材３０と板状部材５０と第２押し部材６０と弁７０とを主要な構成要素とした、同軸直動式バルブである。
【００１４】
アクチュエータ２０は、進退動作（つまりスライド）が可能な作動ロッド２４を備えており、電磁ソレノイドによって構成されることが好ましい。この電磁ソレノイド２０（アクチュエータ２０）は、励磁用コイル２１の励磁によってプランジャ２３を前進させるプッシュ型ソレノイドによって構成されている。さらに、この電磁ソレノイド２０は、励磁用コイル２１に供給される電流に従ってプランジャ２３の進出距離が比例する、いわゆる比例ソレノイドであることが、より好ましい。比例ソレノイドの構成であれば、プランジャ２３の進出距離に従って、弁７０の開度を調整することができる。
【００１５】
詳しく述べると、電磁ソレノイド２０は、励磁用コイル２１と、この励磁用コイル２１の内側に設けられたコア２２と、このコア２２の内部に進退動作が可能に案内されたプランジャ２３と、このプランジャ２３に連結された棒状（管状を含む）の作動ロッド２４とを備えている。
【００１６】
これらの励磁用コイル２１とコア２２とプランジャ２３と作動ロッド２４とは、ソレノイドハウジング２５に収納されている。このソレノイドハウジング２５の中の、開放された一端は、リッド２６によって塞がれている。作動ロッド２４は、ブッシュ２７，２８（軸受２７，２８）によってコア２２とリッド２６とに支持されている。この作動ロッド２４の進出方向（矢印Ａｇ方向）の先端部２４ａは、リッド２６を貫通している。
【００１７】
第１押し部材３０と板状部材５０と第２押し部材６０と弁７０とは、作動ロッド２４の中心線ＣＬ上に位置している。これらの部材は、アクチュエータ２０から弁７０へと向かう方向に、第１押し部材３０、板状部材５０、第２押し部材６０、及び、弁７０の順に配置されている。第２押し部材６０は、後述する軸６１が、板状部材５０よりもアクチュエータ２０側に配置され、被作用部６２及びプッシュロッド６３が、板状部材５０よりも弁７０側に配置されている。
【００１８】
図１乃至図３に示されるように、第１押し部材３０は、進出する作動ロッド２４によって押されることにより、作動ロッド２４と同方向に進出可能な筒状の部材であり、軸中心ＣＬ（作動ロッド２４の中心線ＣＬ）を貫通した貫通孔３１を有する。詳しく述べると、第１押し部材３０は、筒状の本体３２と、この本体３２の先端に一体に構成された円形フランジ状の押し部３３とを備えている。
【００１９】
図１、図２、及び、図７に示す形態において、本体３２の後端面３２ａは、作動ロッド２４の先端面２４ａによって押されることが可能に、この先端面２４ａに接している。この本体３２は、第１押し部材３０の軸方向へ進退可能に、ガイド盤４０によって支持されている。
【００２０】
押し部３３（先端部３３）の先端面３３ａは、先細り状の雄テーパ面である。なお、押し部３３の先端面３３ａは、雄テーパ面に限定されるものではなく、例えば凸状または凹状の曲面であってもよい。このように、押し部３３の先端面３３ａは、雄テーパ面や曲面であることが好ましい。その理由については後述する。
【００２１】
図１及び図２に示されるように、ガイド盤４０は、リッド２６の端面（電磁ソレノイド２０とは反対側の面）に重なっており、ソレノイドハウジング２５に取り付けられている。このガイド盤４０の端面４０ａ（電磁ソレノイド２０とは反対側の面４０ａ）には、この端面４０ａから窪んだ凹部４１と、端面４０ａから膨出した支持部４２とが、設けられている。凹部４１は、作動ロッド２４の中心線ＣＬを基準とした円形状の窪みである。凹部４１の径と深さは、押し部３３の進退運動に干渉しない大きさに設定されている。支持部４２は、凹部４１の縁を囲んだ円還状の部分であり、電磁ソレノイド２０とは反対側へ延びている。支持部４２の端面４２ａ（先端面４２ａ）は、作動ロッド２４の中心線ＣＬに対して直交した平坦面である。
【００２２】
図３及び図４に示されるように、板状部材５０は、板状の弾性体（例えば、ばね鋼の鋼板）によって、平板状に構成されている。この板状部材５０の板面は、押し部３３の先端面３３ａと支持部４２の端面４２ａとに向いている。より詳しく述べると、板状部材５０は、少なくとも１つ（より好ましくは複数）のモーメントアーム５１と、環状の枠部５２とを備える。図１乃至図９では、複数のモーメントアーム５１を備える板状部材５０を示している。
【００２３】
図２も参照すると、複数のモーメントアーム５１は、第１押し部材３０の軸方向と交差する方向、つまり、作動ロッド２４の中心線ＣＬに対して直交する方向に細長く延びている。これら複数のモーメントアーム５１は、周方向に間隔をあけて等ピッチに配置され、枠部５２によって一体に連結されている。
【００２４】
本発明の重要なポイントは、各モーメントアーム５１が「てこ」の原理を利用したことにある。つまり、図５に示されるように、各モーメントアーム５１は、第１押し部材３０の軸中心ＣＬ側（中心線ＣＬ側）の一端部５１ａに力点Ｐ１を有し、軸中心ＣＬとは異なる側の他端部５１ｂに支点Ｐ２を有し、力点Ｐ１と支点Ｐ２との間（力点Ｐ１と支点Ｐ２との間であって、且つ、力点Ｐ１及び支点Ｐ２の裏面側）に作用点Ｐ３を有する。このように、各モーメントアーム５１は、「てこ」の原理を利用した、機械的な倍力機構を構成する。
【００２５】
モーメントアーム５１の一端部５１ａは、押し部３３の、雄テーパ状の先端面３３ａによって押されることが可能に、この先端面３３ａに向かい合っている。モーメントアーム５１の一端部５１ａにおける、第１押し部材３０の押し部３３の先端面３３ａによって押される点が、力点Ｐ１である。１つのモーメントアーム５１当たり、１つの力点Ｐ１を有している。
【００２６】
モーメントアーム５１の他端部５１ｂは、支持部４２の端面４２ａによって、直接にまたは平ワッシャ５３を介して支持されている。モーメントアーム５１の他端部５１ｂにおける、支持部４２の端面４２ａによって支持されている点が、支点Ｐ２である。枠部５２は、複数のモーメントアーム５１それぞれに備えられる、支点Ｐ２が配置される部分同士を連結している。
【００２７】
作用点Ｐ３は、力点Ｐ１に受けた力を増大して第２押し部材６０に付与する（第２押し部材６０を押す）点である。
【００２８】
支点Ｐ２から力点Ｐ１までの距離（第１距離）はＬ１である。支点Ｐ２から作用点Ｐ３までの距離（第２距離）はＬ２であり、第１距離Ｌ１よりも短い（Ｌ２＜Ｌ１）。ここで、力点Ｐ１に働く力（入力）をＷ１し、作用点Ｐ３に働く力（作用力）をＷ２とする。「てこ」の原理により、式「Ｌ１×Ｗ１＝Ｌ２×Ｗ２」が成立する。Ｗ２＝Ｗ１×（Ｌ１／Ｌ２）であり、Ｌ１／Ｌ２＞１であるため、入力Ｗ１に対して作用力Ｗ２を大きくすることができる。すなわち、小さい操作力Ｗ１によって大きい作用力Ｗ２を得ることができる。
【００２９】
板状部材５０は、枠部５２と複数のモーメントアーム５１とが連結されている部位５４の幅Ｗｄ１が、前記作用点Ｐ３が配置される部位５５の幅Ｗｄ２よりも狭い。
【００３０】
第２押し部材６０は、板状部材５０に対し第１押し部材３０とは反対側に位置しており、各モーメントアーム５１の作用点Ｐ３から力を受けることにより、第１押し部材３０と同方向に進出可能である。
【００３１】
詳しく述べると、図２、図５及び図６に示されるように、第２押し部材６０は、第１押し部材３０の貫通孔３１に進退可能に支持された軸６１と、この軸６１の先端に一体に設けられた円盤状の被作用部６２と、この被作用部６２から第１押し部材３０とは反対側へ延びたプッシュロッド６３とを備える。軸６１と被作用部６２とプッシュロッド６３とは、作動ロッド２４の中心線ＣＬ上に位置しており、一体に形成または個々の部材同士の結合によって、一体的に構成される。
【００３２】
被作用部６２の、複数のモーメントアーム５１に向かい合う対向面６２ａには、被作用面６４と干渉防止用凹部６５とが設けられている。
【００３３】
被作用面６４は、複数のモーメントアーム５１の各々の作用点Ｐ３から力を受ける面であって、作動ロッド２４の中心線ＣＬを基準とした円形の環状面である。この環状の被作用面６４は、各々の作用点Ｐ３に対して均一に当たるために、第１押し部材３０の軸方向と交差する面（作動ロッド２４の中心線ＣＬに対して直交する面）、つまり、複数のモーメントアーム５１に対して平行な面であることが好ましい。さらに、環状の被作用面６４は、各々の作用点Ｐ３との接触位置を正確にするために、その断面が、作用点Ｐ３に近付くにつれて先細りとなるテーパ状であることが好ましい。
【００３４】
干渉防止用凹部６５は、対向面６２ａから窪んでいる。力点Ｐ１に力を受けた各モーメントアーム５１は、第２押し部材６０の対向面６２ａへ向かって弾性変形をする。対向面６２ａに干渉防止用凹部６５を設けたので、弾性変形した各モーメントアーム５１に対向面６２ａが干渉することはない。干渉防止用凹部６５を有することにより、各モーメントアーム５１と対向面６２ａとが近接しているにもかかわらず、各モーメントアーム５１は容易に弾性変形をすることができる。
【００３５】
ここで、図５に示される、第１押し部材３０の押し部３３の先端面３３ａを、雄テーパ面や曲面にすることが好ましい理由を、説明する。
【００３６】
先ず、先端面３３ａが、モーメントアーム５１の面に沿った平面である場合を、想定する。この場合には、作動ロッド２４の進出方向（矢印Ａｇ方向）へ進出した先端面３３ａは、モーメントアーム５１の面に面接触することになる。これでは、先端面３３ａに押されたモーメントアーム５１が曲がるにつれて、力点Ｐ１の位置が、先端面３３ａの径方向外側（中心線ＣＬから離れる方向）へ、変化してしまう。その分、作用点Ｐ３に作用させる力は、小さくなりがちである。すなわち、このような形態では、倍力機構の効果を、十分に発揮し難い。
【００３７】
これに対して本発明では、押し部３３の先端面３３ａが雄テーパ面または曲面である。このため、先端面３３ａに押されたモーメントアーム５１が曲がっても、力点Ｐ１の位置の変化を防ぐことができる。その結果、作用点Ｐ３に作用させる力を大きいままに維持することができる。つまり、先端面３３ａを雄テーパ面または曲面にすることにより、倍力機構の効果を、より一層十分に発揮することができる。これが、先端面３３ａを、雄テーパ面や曲面にした理由である。
【００３８】
なお、本発明では、第１押し部材３０の設計のし易さ等の観点から、押し部３３の先端面３３ａを雄テーパ面や曲面にしているが、第２押し部材６０の側を雄テーパ面や曲面にしてもよい。
【００３９】
図２に示されるように、第１押し部材３０と第２押し部材６０とは、互いに軸方向へ離反する方向に、圧縮コイルばねからなる付勢部材６７によって付勢されてもよい。
【００４０】
図１及び図２に示されるように、第２押し部材６０のプッシュロッド６３は、弁７０を開閉する。このため、弁７０は、第２押し部材６０の進退動作に従って開閉動作が可能である。この弁７０は、弁ハウジング７１と弁座７２と弁体７３と押し付け部材７４と付勢部材７５とを備える。
【００４１】
弁ハウジング７１は、ソレノイドハウジング２５に対して直接にまたはガイド盤４０を介して取り付けられており、板状部材５０と第２押し部材６０とを収納している。さらに弁ハウジング７１は、弁座７２と弁体７３と押し付け部材７４と付勢部材７５とを収納するとともに、流体が通過可能な第１ポート７１ａと第２ポート７１ｂとを有している。例えば、第１ポート７１ａは流体の入口であり、第２ポート７１ｂは流体の出口である。この第２ポート７１ｂは、第１ポート７１ａよりも第２押し部材６０側に位置している。
【００４２】
弁座７２と弁体７３と押し付け部材７４と付勢部材７５とは、それぞれの軸中心が、第１押し部材３０の軸中心ＣＬ（中心線ＣＬ上）に位置するとともに、第２押し部材６０の進出方向にこの順に配列されている。
【００４３】
弁座７２は、弁ハウジング７１にねじ込み可能な中空部材であって、軸方向に貫通した流路７２ａと、座面７２ｂとを有する。座面７２ｂは、第２押し部材６０とは反対側の端面に形成された雌テーパ面である。流路７２ａは、弁座７２の軸方向に貫通するとともに、第２ポート７１ｂへ向かって弁座７２を径方向にも貫通しており、座面７２ｂを貫通している。プッシュロッド６３は、流路７２ａに配置されており、弁座７２を貫通して進退可能である。
【００４４】
弁体７３は、弁座７２を開閉する部材であって、球状であることが好ましい。プッシュロッド６３の先端は、弁座７２に対して弁体７３を押し出し可能である。押し付け部材７４は、圧縮コイルばね等の付勢部材７５の付勢力によって弁体７３を弁座７２に押し付けている。
【００４５】
次に、弁装置１０の動作を説明する。図１に示されるように、電磁ソレノイド２０の励磁用コイル２１に通電されていない状態では、プランジャ２３と作動ロッド２４は後退位置にある。このため、プッシュロッド６３は弁体７３を押していない。弁体７３は、押し付け部材７４と付勢部材７５とによって弁座７２に押し付けられている。従って、弁７０は閉じている。
【００４６】
その後、励磁用コイル２１に通電をすると、励磁用コイル２１が発生した磁力によってプランジャ２３と作動ロッド２４は進出する（矢印Ａｇ方向へ進む）。進出した作動ロッド２４は、第１押し部材３０を押し、板状部材５０に向けて第１押し部材３０を進出させる。図５に示されるように、第１押し部材３０の押し部３３の先端面３３ａは、各モーメントアーム５１の力点Ｐ１を押し出す。力点Ｐ１を押された各モーメントアーム５１は弾性変形をし、作用点Ｐ３によって第２押し部材６０の被作用面６４を押し出す。このようにして第２押し部材６０が押されると、図７に示されるように、第２押し部材６０のプッシュロッド６３の先端は、付勢部材７５の付勢力に抗して弁体７３を押し出す。この結果、弁７０が開くので、第１ポート７１ａと第２ポート７１ｂとの間は、流路７２ａを介して連通する。そのため、第１ポート７１ａに供給された流体は、流路７２ａを通って第２ポート７１ｂから排出される。
【００４７】
その後、図１に示されるように、励磁用コイル２１への通電を停止すると、第２押し部材６０を押す力がなくなるので、付勢部材７５の付勢力によってプッシュロッド６３は後退する。この結果、弁７０が閉じるとともに、第２押し部材６０、各モーメントアーム５１（図２参照）、作動ロッド２４及びプランジャ２３は元の後退位置に戻る。
【００４８】
実施例１の弁装置１０の説明をまとめると、次の通りである。
【００４９】
図１乃至図７に示されるように、弁装置１０は、
進退動作が可能な作動ロッド２４を備えたアクチュエータ２０と、
進出する前記作動ロッド２４によって押されることにより前記作動ロッド２４と同方向に進出可能な第１押し部材３０と、
前記第１押し部材３０の軸方向と交差する方向に延び、前記第１押し部材３０の軸中心ＣＬ側の一端部５１ａに前記第１押し部材３０によって押される力点Ｐ１を有し、前記軸中心ＣＬとは異なる側の他端部５１ｂに支点Ｐ２を有し、前記力点Ｐ１と前記支点Ｐ２との間に作用点Ｐ３を有する、少なくとも１つのモーメントアーム５１を具備する板状部材５０と、
前記モーメントアーム５１の前記作用点Ｐ３から力を受けることにより、前記第１押し部材３０と同方向に進出可能な第２押し部材６０と、
前記第２押し部材６０の進退動作に従って開閉動作が可能な弁７０と、
を備える。
【００５０】
このように、力点Ｐ１と支点Ｐ２と作用点Ｐ３とを有したモーメントアーム５１を、用いることによって、「てこ」の原理を採用することができる。「てこ」の原理を利用した、機械的な倍力機構を採用して、パイロット弁を用いることのない簡単な構成により、小さい操作力によって大きい弁７０を開閉することができる。
【００５１】
さらに、図３乃至図６に示されるように、
前記板状部材５０は、周方向に間隔をあけて配置された複数の前記モーメントアーム５１を有し、
前記複数のモーメントアーム５１の各々の前記力点Ｐ１は、前記第１押し部材３０の先端部３３（押し部３３）によって押され、
前記第２押し部材６０は、前記複数のモーメントアーム５１の各々の前記作用点Ｐ３から力を受ける被作用面６４を有する。
このため、力点Ｐ１や作用点Ｐ３が周方向に偏らない、安定した弁動作をさせることができる。
【００５２】
さらに、図３及び図５に示されるように、前記支点Ｐ２が配置される、前記板状部材５０の環状の枠部５２によって、前記複数のモーメントアーム５１は、一体に連結されている。このため、複数のモーメントアーム５１を一体化することによって、各モーメントアーム５１の位置を正確に設定することができる。
【００５３】
さらに、図３及び図５に示されるように、前記板状部材５０は、前記枠部５２と前記複数のモーメントアーム５１とが連結されている部位５４の幅Ｗｄ１が、前記作用点Ｐ３が配置される部位５５の幅Ｗｄ２よりも狭い。
【００５４】
従って、モーメントアーム５１は、ばね性（ばね成分）を有する。図１に示されるように、アクチュエータ２０の推力は、モーメントアーム５１のばね性を介して弁７０に伝達される。このため、比較的大きい「ばね定数」を任意に設定することができる。しかも、弁７０の開閉運動特性を、アクチュエータ２０側の質量とは分離することができる。従って、弁７０の出入り口７１ａ，７１ｂ（第１ポート７１ａ及び第２ポート７１ｂ）の微妙な圧力変動や、アクチュエータ２０の推力の変動に対して、応答性の高い開弁特性を得ることができる。
【００５５】
さらに、図１及び図７に示されるように、前記板状部材５０は弾性体である。このため、モーメントアーム５１が、作動ロッド２４の中心線ＣＬの方向に弾性変形し易いので、弁７０をスムースに開閉動作させることができる。
【００５６】
さらに、図１に示されるように、前記アクチュエータ２０は電磁ソレノイドである。このため、作動ロッド２４が進退運動をするアクチュエータ２０を、比較的簡単な構成とすることができる。
【００５７】
なお、本発明による弁装置１０は、本発明の作用及び効果を奏する限りにおいて、実施例に限定されるものではない。
【００５８】
例えば、本発明では、上記枠部５２は、複数のモーメントアーム５１同士を連結する構成であればよい。例えば、図８に示される変形例１のように、枠部５２は、複数のモーメントアーム５１の一端部５１ａ同士を連結する構成でもよい。また、図９に示される変形例２のように、枠部５２は、複数のモーメントアーム５１のなかの、それぞれ長手途中の部分同士を連結する構成でもよい。
【産業上の利用可能性】
【００５９】
本発明の弁装置１０は、鞍乗り型車両の車高調整装置に採用するのに好適である。
【符号の説明】
【００６０】
１０    弁装置
２０    アクチュエータ（電磁ソレノイド）
２４    作動ロッド
３０    第１押し部材
３３    先端部
５０    板状部材
５１    モーメントアーム
５１ａ  第１押し部材の軸中心側の一端部
５１ｂ  軸中心とは異なる側の他端部
５２    枠部
５４    枠部と複数のモーメントアームとが連結されている部位
５５    作用点が配置される部位
６０    第２押し部材
６４    被作用面
７０    弁
ＣＬ    作動ロッドの中心線（軸中心）
Ｐ１    軸中心側の一端部に有した力点
Ｐ２    他端部に有した支点
Ｐ３    力点と支点との間に有した作用点
Ｗｄ１  枠部と複数のモーメントアームが連結されている部位の幅
Ｗｄ２  作用点が配置される部位の幅
【図１】
2020016917.tif 000003
【図２】
2020016917.tif 000004
【図３】
2020016917.tif 000005
【図４】
2020016917.tif 000006
【図５】
2020016917.tif 000007
【図６】
2020016917.tif 000008
【図７】
2020016917.tif 000009
【図８】
2020016917.tif 000010
【図９】
2020016917.tif 000011
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
進退動作が可能な作動ロッドを備えたアクチュエータと、
進出する前記作動ロッドによって押されることにより前記作動ロッドと同方向に進出可能な第１押し部材と、
前記第１押し部材の軸方向と交差する方向に延び、前記第１押し部材の軸中心側の一端部に前記第１押し部材によって押される力点を有し、前記軸中心とは異なる側の他端部に支点を有し、前記力点と前記支点との間に作用点を有する、少なくとも１つのモーメントアームを具備する板状部材と、
前記モーメントアームの前記作用点から力を受けることにより、前記第１押し部材と同方向に進出可能な第２押し部材と、
前記第２押し部材の進退動作に従って開閉動作が可能な弁と、
を備え、
前記板状部材は、周方向に間隔をあけて配置された複数の前記モーメントアームを有し、
前記複数のモーメントアームの各々の前記力点は、前記第１押し部材の先端部によって押され、
前記第２押し部材は、前記複数のモーメントアームの各々の前記作用点から力を受ける被作用面を有し、
前記支点が配置される、前記板状部材の環状の枠部によって、前記複数のモーメントアームは、一体に連結されている、弁装置。
【請求項４】
前記板状部材は、前記枠部と前記複数のモーメントアームとが連結されている部位の幅が、前記作用点が配置される部位の幅よりも狭い、請求項３に記載の弁装置。
【請求項５】
前記板状部材は弾性体である、請求項３又は請求項４に記載の弁装置。
【請求項６】
前記アクチュエータは電磁ソレノイドである、請求項３〜５のいずれか１項に記載の弁装置。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
進退動作が可能な作動ロッドを備えたアクチュエータと、
進出する前記作動ロッドによって押されることにより前記作動ロッドと同方向に進出可能な第１押し部材と、
前記第１押し部材の軸方向と交差する方向に延び、前記第１押し部材の軸中心側の一端部に前記第１押し部材によって押される力点を有し、前記軸中心とは異なる側の他端部に支点を有し、前記力点と前記支点との間に作用点を有する、少なくとも１つのモーメントアームを具備する板状部材と、
前記モーメントアームの前記作用点から力を受けることにより、前記第１押し部材と同方向に進出可能な第２押し部材と、
前記第２押し部材の進退動作に従って開閉動作が可能な弁と、
を備え、
前記板状部材は、周方向に間隔をあけて配置された複数の前記モーメントアームを有し、
前記複数のモーメントアームの各々の前記力点は、前記第１押し部材の先端部によって押され、
前記第２押し部材は、前記複数のモーメントアームの各々の前記作用点から力を受ける被作用面を有し、
前記支点が配置される、前記板状部材の環状の枠部によって、前記複数のモーメントアームは、一体に連結されている、弁装置。
【請求項２】
前記板状部材は、前記枠部と前記複数のモーメントアームとが連結されている部位の幅が、前記作用点が配置される部位の幅よりも狭い、請求項１に記載の弁装置。
【請求項３】
前記板状部材は弾性体である、請求項１又は請求項２に記載の弁装置。
【請求項４】
前記アクチュエータは電磁ソレノイドである、請求項１〜３のいずれか１項に記載の弁装置。
【手続補正２】
【補正対象書類名】明細書
【補正対象項目名】０００９
【補正方法】変更
【補正の内容】
【０００９】
本発明によれば、
進退動作が可能な作動ロッドを備えたアクチュエータと、
進出する前記作動ロッドによって押されることにより前記作動ロッドと同方向に進出可能な第１押し部材と、
前記第１押し部材の軸方向と交差する方向に延び、前記第１押し部材の軸中心側の一端部に前記第１押し部材によって押される力点を有し、前記軸中心とは異なる側の他端部に支点を有し、前記力点と前記支点との間に作用点を有する、少なくとも１つのモーメントアームを具備する板状部材と、
前記モーメントアームの前記作用点から力を受けることにより、前記第１押し部材と同方向に進出可能な第２押し部材と、
前記第２押し部材の進退動作に従って開閉動作が可能な弁と、
を備え、
前記板状部材は、周方向に間隔をあけて配置された複数の前記モーメントアームを有し、
前記複数のモーメントアームの各々の前記力点は、前記第１押し部材の先端部によって押され、
前記第２押し部材は、前記複数のモーメントアームの各々の前記作用点から力を受ける被作用面を有し、
前記支点が配置される、前記板状部材の環状の枠部によって、前記複数のモーメントアームは、一体に連結されている、弁装置が提供される。
【国際調査報告】
2020016917.tif 000012
2020016917.tif 000013
2020016917.tif 000014